(57)【要約】【課題】簡易な構造で抜去力を高めることができる電気コネクタを提供する。【解決手段】プラグコネクタは、円筒状の外部コンタクト１１４と、外部コンタクト１１４の外壁から同軸ケーブルＫａの長手方向に延びた、一対のアーム部１１５、１１６と、かしめられた時に、一対のアーム部１１５、１１６とともに同軸ケーブルＫａを挟持する一対の平板状のバレル１１２と、が一体的に形成された導電性のシェルを備え、アーム部１１５、１１６はアーム部同士を係止する突出片１１５ａ、切り欠き１１６ａを備える。【選択図】図８
2017220336.tif 000002
【特許請求の範囲】
【請求項１】
内部導体及び該内部導体の周囲に配置された外部導体を有する同軸ケーブルの一端に連結されて相手コネクタと嵌合する電気コネクタであって、
前記内部導体に接続され、且つ、前記相手コネクタとの嵌合時に、前記相手コネクタの信号コンタクトと電気的に接続する導電性の内部導体コンタクトと、
前記相手コネクタとの嵌合部分に設けられ、前記内部導体に接続された前記内部導体コンタクトを収容する絶縁性のハウジングと、
導電性のシェルと、を備え、
前記シェルは、
前記ハウジングの周縁に配置され、前記相手コネクタとの嵌合時に前記相手コネクタの円筒状のグランドコンタクトの外周と電気的に接続する円筒状の外部導体コンタクトと、
前記外部導体コンタクトの外壁からそれぞれ前記同軸ケーブルの長手方向に沿って前記同軸ケーブルの他端に向かって延びた、前記外部導体が露出した前記同軸ケーブルを載置する一対のアームと、
かしめられた時に、前記一対のアームに載置された前記同軸ケーブルの前記外部導体を前記一対のアームに当接させて、前記一対のアームとともに前記同軸ケーブルを挟持する一対の平板状のバレルと、が一体化して形成され、
前記一対のアームには、アーム同士を係止する係止部が設けられている、
電気コネクタ。
【請求項２】
前記一対のアームの間には、アーム同士の相対位置の規定値内の変動を許容するクリアランスが設けられている、
請求項１に記載の電気コネクタ。
【請求項３】
前記係止部は、
前記一対のアームに載置された前記同軸ケーブルの円周方向及び長手方向にアーム同士を係止する、
請求項２に記載の電気コネクタ。
【請求項４】
前記一対のアームのうち、一方には突出片が設けられ、他方には前記突出片を係止する切り欠きが設けられている、
請求項３に記載の電気コネクタ。
【請求項５】
前記係止部は、
前記一対のアームの厚み方向にアーム同士を係止する、
請求項１に記載の電気コネクタ。
【請求項６】
前記係止部は、
前記一対のアームにおける前記同軸ケーブルの長手方向中心よりも、前記外部導体コンタクト側に設けられている、
請求項１に記載の電気コネクタ。
【発明の詳細な説明】
【技術分野】
【０００１】
本発明は、電気コネクタに関する。
【背景技術】
【０００２】
従来、内部導体の外周を外部導体が覆う構造の同軸ケーブルは、携帯電話機、スマートフォン等の電子機器おいて、無線回路とアンテナを接続する配線部品として広く利用されている。一般的に同軸ケーブルと配線基板との接続は、同軸ケーブルの端部に接続された電気コネクタとしてのプラグコネクタと、配線基板上に実装されたレセプタクルコネクタとの嵌合によって行われる。
【０００３】
また、同軸ケーブルの外部導体と電気的に接続されるプラグコネクタの外部コンタクトは、板状の金属部材を円筒状に曲げて形成される（特許文献１）。このため、外部コンタクトは、周方向の一部が分断された円筒形状になり、円筒の径が大きくなる方向に弾性変形可能である。
【０００４】
プラグコネクタとレセプタクルコネクタとが嵌合した際、プラグコネクタの外部コンタクトの内面は、レセプタクルコネクタに形成された円筒状のグランドコンタクトの外面と接触することにより、導通される。この時、外部コンタクトの径が弾性変形により拡がることで、接続作業を容易にすることができる。また、外部コンタクトがグランドコンタクトを保持して抜去力を確保することができる。
【先行技術文献】
【特許文献】
【０００５】
【特許文献１】特開２０１５−１５８９７１号公報
【発明の概要】
【発明が解決しようとする課題】
【０００６】
上記プラグコネクタは、機器の小型薄型化の進展に伴って、小型化が要求されており、外部コンタクトに用いる金属板も薄型化が求められている。外部コンタクトは、材料の薄型化によって変形しやすくなるため、プラグコネクタとレセプタクルコネクタとの接続を保持するための抜去力が十分に確保できないという問題点がある。
【０００７】
本発明は、上述の事情に鑑みてなされたものであり、簡易な構造で抜去力を高めることができる電気コネクタを提供することを目的とする。
【課題を解決するための手段】
【０００８】
上記目的を達成するため、本発明に係る電気コネクタは、内部導体及び該内部導体の周囲に配置された外部導体を有する同軸ケーブルの一端に連結されて相手コネクタと嵌合する電気コネクタであって、前記内部導体に接続され、且つ、前記相手コネクタとの嵌合時に、前記相手コネクタの信号コンタクトと電気的に接続する導電性の内部導体コンタクトと、前記相手コネクタとの嵌合部分に設けられ、前記内部導体に接続された前記内部導体コンタクトを収容する絶縁性のハウジングと、導電性のシェルと、を備え、前記シェルは、前記ハウジングの周縁に配置され、前記相手コネクタとの嵌合時に前記相手コネクタの円筒状のグランドコンタクトの外周と電気的に接続する円筒状の外部導体コンタクトと、前記外部導体コンタクトの外壁からそれぞれ前記同軸ケーブルの長手方向に沿って前記同軸ケーブルの他端に向かって延びた、前記外部導体が露出した前記同軸ケーブルを載置する一対のアームと、かしめられた時に、前記一対のアームに載置された前記同軸ケーブルの前記外部導体を前記一対のアームに当接させて、前記一対のアームとともに前記同軸ケーブルを挟持する一対の平板状のバレルと、が一体化して形成され、前記一対のアームには、アーム同士を係止する係止部が設けられる。
【０００９】
また、前記一対のアームの間には、アーム同士の相対位置の規定値内の変動を許容するクリアランスが設けられていてもよい。
【００１０】
また、前記係止部は、前記一対のアームに載置された前記同軸ケーブルの円周方向及び長手方向にアーム同士を係止してもよい。
【００１１】
また、前記一対のアームのうち、一方には突出片が設けられ、他方には前記突出片を係止する切り欠きが設けられていてもよい。
【００１２】
また、前記係止部は、前記一対のアームの厚み方向にアーム同士を係止してもよい。
【００１３】
また、前記係止部は、前記一対のアームにおける前記同軸ケーブルの長手方向中心よりも、前記外部導体コンタクト側に設けられていてもよい。
【発明の効果】
【００１４】
本発明によれば、簡易な構造で電気コネクタの抜去力を高めることが可能である。
【図面の簡単な説明】
【００１５】
【図１】（Ａ）は、実施の形態に係る電気コネクタを第１方向から見た斜視図であり、（Ｂ）は、実施の形態に係る電気コネクタを第２方向から見た斜視図である。
【図２】実施の形態に係るレセプタクルコネクタの斜視図である。
【図３】実施の形態に係るシェルの斜視図である。
【図４】（Ａ）は、シェルの上面図であり、（Ｂ）は、シェルの正面図である。
【図５】シェルの展開図である。
【図６】実施の形態に係るプラグコネクタの分解斜視図である。
【図７】プラグコネクタと同軸ケーブルとの接続前の状態を表す斜視図である。
【図８】（Ａ）は、バレルのかしめ前の状態を表す正面図であり、（Ｂ）は、バレルのかしめ後の状態を表す正面図である。
【図９】プラグコネクタとレセプタクルコネクタとの嵌合状態を表す断面図である。
【図１０】アーム部の第１の変形例を示す上面図である。
【図１１】（Ａ）は、アーム部の第２の変形例を示す上面図であり、（Ｂ）は、（Ａ）のＡ−Ａ断面の拡大断面図である。
【図１２】アーム部の第３の変形例を示す上面図である。
【発明を実施するための形態】
【００１６】
以下、図を参照しつつ、本発明に係る実施の形態について説明する。
【００１７】
本実施の形態に係る電気コネクタとしてのプラグコネクタ１０を、図１（Ａ）及び図１（Ｂ）に示す。プラグコネクタ１０は、内部導体及び内部導体の周囲に配置された外部導体を有する同軸ケーブルＫａの一端に電気的に接続される。また、プラグコネクタ１０は、回路基板Ｋｂに電気的に接続されたレセプタクルコネクタ２０（図２）と嵌合可能に構成されている。
【００１８】
なお、プラグコネクタ１０を説明する図では、プラグコネクタ１０の円筒状の外部コンタクト１１４の中心軸方向をｚ軸方向、外部コンタクト１１４から同軸ケーブルＫａを引き出す方向をｘ軸方向、外部コンタクト１１４の中心軸方向及び同軸ケーブルＫａの引き出し方向に直交する方向をｙ軸方向とする直交座標系を設定し、適宜参照する。
【００１９】
また、図２に示すように、レセプタクルコネクタ２０を説明する図では、プラグコネクタ１０が挿入される方向をｚ軸方向、対向して配置される信号用接続脚部２０５同士を結ぶ方向をｘ軸方向、対向して配置されるグランド用接続脚部２０６同士を結ぶ方向をｙ軸方向とする直交座標系を設定し、適宜参照する。
【００２０】
プラグコネクタ１０は、図１に示すように、金属製のシェル１１と、絶縁体で構成されたハウジング１２と、金属製の内部コンタクト１３と、を備える。
【００２１】
シェル１１は、図３、図４（Ａ）及び図４（Ｂ）に示すように、蓋部１１１と、バレル１１２と、カシメ部１１３と、外部コンタクト１１４と、第１のアーム部１１５と、第２のアーム部１１６と、連結部１１９と、を備える。
【００２２】
シェル１１は、薄板状の金属板が金型加工されることによって、図３、図４（Ａ）及び図４（Ｂ）に示す状態になる。具体的には、まず、プレス金型を用いた抜き加工によって、外形及び孔部が形成される。その後、外形等を形成された金属板が、フォーミング加工によって曲げられて、円筒状の外部コンタクト１１４、互いに連接してＵ字溝を構成するアーム部１１５、１１６等が形成され、シェル１１の部品完成品になる。
【００２３】
外部コンタクト１１４は、上述のように、シェル１１がフォーミング加工されることによって、ｚ軸方向の中心軸を有する円筒状に形成されている。より具体的には、シェル１１は、図５に示す板状の展開状態から、金型によるフォーミング加工によって図３に示す立体的な形状に形成される。展開状態の外部コンタクト１１４における折り曲げ方向の端部１１４ａ同士は、折り曲げられて円筒形状となった状態で、互いに対向する。
【００２４】
外部コンタクト１１４の−ｚ方向端部（一端）の一部は、連結部１１９を介して、蓋部１１１に連結されている。外部コンタクト１１４の他端（＋ｚ方向端部）は開放されている。また、外部コンタクト１１４は、上記開放端近傍に、内径が小さくなるように絞られ、後述するレセプタクルコネクタ２０のグランドコンタクト２０２と当接する接点部１１４ｂを備える。
【００２５】
アーム部１１５、１１６は、図３、図４（Ａ）及び図４（Ｂ）に示すように、外部コンタクト１１４の外壁の端部１１４ａ近傍から、それぞれ同軸ケーブルＫａの長手方向外側（＋ｘ方向）に向かって延びている。
【００２６】
アーム部１１５は、係止部としてのＴ字状の突出片１１５ａを備える。また、アーム部１１６は、突出片１１５ａと係合する切り欠き１１６ａを備える。突出片１１５ａと切り欠き１１６ａとは、上述の金型によるフォーミング加工の際に係合し、アーム部１１５、１１６が連接して同軸ケーブルＫａが載置されるＵ字状の溝を形成する。
【００２７】
シェル１１が図３、図４（Ａ）及び図４（Ｂ）に示す部品完成品の状態であるとき、突出片１１５ａを含むアーム部１１５と切り欠き１１６ａを含むアーム部１１６との間には、クリアランスが設けられている。このクリアランスは、後述するように抜去力、作業性等に基づいて設定することができる。
【００２８】
蓋部１１１は、蓋部１１１と外部コンタクト１１４とを連結する連結部１１９を軸にして、ｘｚ平面に沿って回動可能である。シェル１１の内部に同軸ケーブルＫａを配置する場合、蓋部１１１が外部コンタクト１１４に対して−ｚ方向に位置した状態（図４（Ａ）、図４（Ｂ））で、シェル１１の内部に、同軸ケーブルＫａを配置する。プラグコネクタ１０と同軸ケーブルＫａとの接続の詳細については後述する。
【００２９】
バレル１１２は、蓋部１１１に一端が接続された矩形状の一対の金属板である。バレル１１２は、一対のアーム部１１５、１１６に同軸ケーブルＫａが載置された状態で、折り曲げられてアーム部１１５、１１６とともに同軸ケーブルＫａを挟持し、同軸ケーブルＫａの外部導体とシェル１１とを導通させる。
【００３０】
カシメ部１１３は、蓋部１１１に一端が接続された矩形状の一対の金属板である。カシメ部１１３は、シェル１１内部に同軸ケーブルＫａが配置された状態で、折り曲げられて同軸ケーブルＫａを保持する。
【００３１】
内部コンタクト１３は、図６に示すように、金属板が折り曲げられて形成されている。内部コンタクト１３は、同軸ケーブルＫａの内部導体との導通を実現させるための接続部１３ａと、接続部１３ａと共に同軸ケーブルＫａの内部導体を挟持させる押さえ部１３ｂと、レセプタクルコネクタ２０の信号コンタクト２０１と電気的に接続される接点バネ部１３ｃと、を備える。
【００３２】
ハウジング１２は、図１（Ｂ）及び図６に示すように、内部コンタクト１３を、シェル１１に対して絶縁した状態で保持する。ハウジング１２は、レセプタクルコネクタ２０との嵌合がスムーズに行えるよう、先端（−ｚ方向）が細くなった略円錐台状の絶縁体である。
【００３３】
プラグコネクタ１０は、図６に示すように、上述のシェル１１、ハウジング１２及び内部コンタクト１３が組み合わされて構成されている。具体的には、ハウジング１２は、内部コンタクト１３を内部に挿入可能なように、中心付近の一部分がくり貫かれて形成された孔１２ａを備える。孔１２ａに内部コンタクト１３を挿入すると、接点バネ部１３ｃがハウジング１２内に配置される。
【００３４】
内部コンタクト１３が取り付けられたハウジング１２は、図７に示すように、外部コンタクト１１４の内部空間に配置される。言い換えれば、外部コンタクト１１４の内壁と内部コンタクト１３との間に形成された空間に、ハウジング１２が配置される。よって、外部コンタクト１１４と内部コンタクト１３とが、ハウジング１２によって絶縁された状態になる。
【００３５】
次に、部品完成品として組み立てられたプラグコネクタ１０と同軸ケーブルＫａとの接続について説明する。図７に示すように、内部導体が露出した状態の同軸ケーブルＫａの先端を、内部コンタクト１３の接続部１３ａに接触するように配置する。また、同軸ケーブルＫａの露出した外部導体がアーム部１１５、１１６によって形成されるＵ字溝の内面に接触するように、配置する。
【００３６】
その後、蓋部１１１をｘｚ平面に沿って回動させ、図８（Ａ）に示すように蓋部１１１を閉めた状態にする。このようにして、シェル１１の内部に同軸ケーブルＫａが配置される。
【００３７】
蓋部１１１が閉められると、接続部１３ａと押さえ部１３ｂとが同軸ケーブルＫａの内部導体を挟持して、内部コンタクト１３と内部導体とが導通される。
【００３８】
上述のように、シェル１１内部に同軸ケーブルＫａが配置された状態（図８（Ａ））で、バレル１１２が折り曲げられると、一対のアーム部１１５、１１６とバレル１１２とが、同軸ケーブルＫａの外部導体を挟持する（図８（Ｂ））。これにより、バレル１１２は、同軸ケーブルＫａの外部導体とシェル１１とを導通させる。
【００３９】
さらに、シェル１１内部に同軸ケーブルＫａが配置された状態で、カシメ部１１３が折り曲げられると、そのカシメ部１１３は同軸ケーブルＫａの外皮を掴む。これにより、カシメ部１１３は、同軸ケーブルＫａを保持する。
【００４０】
以上のように、プラグコネクタ１０と同軸ケーブルＫａとが接続される。
【００４１】
プラグコネクタ１０の接続相手であるレセプタクルコネクタ２０は、図２の斜視図に示すように、板状の絶縁体で構成された本体部２００と、信号コンタクト２０１と、グランドコンタクト２０２と、信号用接続脚部２０５と、グランド用接続脚部２０６と、を備える。
【００４２】
信号コンタクト２０１は、本体部２００の中心部から−ｚ方向に延設された円柱状の金属部材である。信号コンタクト２０１は、図示しない本体部２００の内部で、信号用接続脚部２０５と電気的に接続されている。信号用接続脚部２０５は、レセプタクルコネクタ２０が回路基板Ｋｂに実装された際、回路基板Ｋｂの信号線路にハンダ付けされる。これにより、信号コンタクト２０１と回路基板Ｋｂの信号線路とが接続される。また、信号コンタクト２０１は、プラグコネクタ１０とレセプタクルコネクタ２０との嵌合の際、内部コンタクト１３の接点バネ部１３ｃと当接可能な位置に配置されている。
【００４３】
グランドコンタクト２０２は、信号コンタクト２０１の中心軸と同一軸の円筒状の金属部材である。グランドコンタクト２０２は、図示しない本体部２００の内部で、グランド用接続脚部２０６と電気的に接続されている。グランド用接続脚部２０６は、レセプタクルコネクタ２０が回路基板Ｋｂに実装された際、回路基板Ｋｂのグランド線路にハンダ付けされる。これにより、グランドコンタクト２０２と回路基板Ｋｂのグランド線路とが接続される。
【００４４】
グランドコンタクト２０２は、プラグコネクタ１０とレセプタクルコネクタ２０との嵌合の際、外部コンタクト１１４と当接可能な位置に配置されている。また、グランドコンタクト２０２は、外周面に、外部コンタクト１１４の接点部１１４ｂが嵌入する保持部２０２ａを備える。
【００４５】
次に、本実施の形態に係るプラグコネクタ１０とレセプタクルコネクタ２０との嵌合について説明する。
【００４６】
図９に示すように、プラグコネクタ１０とレセプタクルコネクタ２０とが嵌合した状態（以下、嵌合状態という）で、レセプタクルコネクタ２０の信号コンタクト２０１は、プラグコネクタ１０に組み込まれた内部コンタクト１３の一対の接点バネ部１３ｃの間に挿入されている。プラグコネクタ１０とレセプタクルコネクタ２０とが嵌合していない状態（以下、非嵌合状態という）で、一対の接点バネ部１３ｃ同士の間隔は、信号コンタクト２０１の外径よりも小さく設定されている。したがって、嵌合状態で、信号コンタクト２０１は、接点バネ部１３ｃの弾性力によって保持される。よって、信号コンタクト２０１と内部コンタクト１３とが導通する。
【００４７】
グランドコンタクト２０２は、ハウジング１２と外部コンタクト１１４との間に挿入され、グランドコンタクト２０２の外面と外部コンタクト１１４の内面とが接触することで、外部コンタクト１１４と導通される。
【００４８】
より詳細には、非嵌合状態で、外部コンタクト１１４の接点部１１４ｂの内径Ｒｐは、グランドコンタクト２０２の外径Ｒｒよりも小さく設定されている。グランドコンタクト２０２がハウジング１２と外部コンタクト１１４との間に挿入されると、接点部１１４ｂの内径Ｒｐがグランドコンタクト２０２の外径Ｒｒよりも大きくなるように、対向する端部１１４ａ同士の間が拡げられる。
【００４９】
グランドコンタクト２０２が、さらにハウジング１２と外部コンタクト１１４との間に挿入されると、グランドコンタクト２０２の上端部２０２ｂがハウジング１２の受け部１２ｂに当接する。また、接点部１１４ｂがグランドコンタクト２０２の外周面の保持部２０２ａに嵌入し、プラグコネクタ１０とレセプタクルコネクタ２０との嵌合が完了する。
【００５０】
プラグコネクタ１０は、上述の嵌合状態で、スマートフォン等の電子機器に組み込まれる。例えば組み立ての際においては、電子機器の内部では、同軸ケーブルＫａに生じる組み込み時の捻れ、電子機器筐体に対して加わる外力等により、プラグコネクタ１０に対してレセプタクルコネクタ２０から外れる方向（−ｚ方向）の力が加わる場合がある。このような場合であっても、プラグコネクタ１０とレセプタクルコネクタ２０との接続を維持するため、プラグコネクタ１０には、一定の抜去力を保つことが求められる。
【００５１】
外部コンタクト１１４は金属板を曲げて円筒状としているため、例えば捻りが生じた場合に、対向する端部１１４ａ同士の間隔が拡げられる方向に力が働く。さらに、端部１１４ａ同士に拡がる方向の力が働くと、外部コンタクト１１４の外壁の端部１１４ａ近傍から延設されるアーム部１１５とアーム部１１６との間にも拡げられる方向の力が働く。
【００５２】
本実施の形態のシェル１１では、図４（Ａ）に示すように、アーム部１１５の突出片１１５ａとアーム部１１６の切り欠き１１６ａとが係合しているため、アーム部１１５、１１６が互いに離れる方向に生じる力を係合部分が受けて、拡がりを防止する。アーム部１１５、１１６は、外部コンタクト１１４の対向する端部１１４ａ近傍からそれぞれ延設されているため、端部１１４ａ同士の間隔の拡がりも防止される。これにより、シェル１１の板厚が薄い小型のプラグコネクタ１０であっても、外部コンタクト１１４の拡がりが防止され、高い抜去力を維持することができる。
【００５３】
また、上述の通り、本実施の形態に係るプラグコネクタ１０では、係合する突出片１１５ａと切り欠き１１６ａとの間に、クリアランスが設けられている。特に、ｙ軸方向、すなわちアーム部１１５とアーム部１１６とが対向する方向にクリアランスが設けられていることにより、外部コンタクト１１４の対向する端部１１４ａ同士の隙間が拡がることを、一定の範囲で許容するように構成されている。
【００５４】
言い換えれば、アーム部１１５とアーム部１１６との間隔が、クリアランス分拡げられるため、アーム部１１５とアーム部１１６とがクリアランスなく固定されている場合に比べて、外部コンタクト１１４の端部１１４ａ同士の対向する部分が拡がり易くなる。これにより、プラグコネクタ１０とレセプタクルコネクタ２０とを嵌合させる際の挿入力を低下させ、作業性を向上させるとともに、抜去力が所定の値以下に低下することを防止することができる。
【００５５】
以上、本発明の実施の形態を説明したが、この発明は上記の実施の形態に限定されず、種々の変形及び応用が可能である。
【００５６】
上述したプラグコネクタ１０の係合部は、Ｔ字型としたが、アーム部１１５とアーム部１１６とが一定のクリアランスをもって互いに係合し、アーム部１１５とアーム部１１６との拡がりを防止可能な形状であればよい。例えば、図１０に示すように、アーム部１１５がＬ字型の突出片１１５ａ’を備え、アーム部１１６が突出片１１５ａ’に対応するＬ字型の切り欠き１１６ａ’を備えていてもよい。
【００５７】
また、上述したプラグコネクタ１０では、Ｔ字型の係合部としたが、アーム部１１５、１１６の厚み方向の係合とすることもできる。例えば、図１１（Ａ）及び図１１（Ｂ）に示すように、アーム部１１５がハーフパンチによる凸部１１５ａ’’を備え、アーム部１１６が凸部１１５ａ’’に対応する孔１１６ａ’’を備えていてもよい。これにより、係合部分を組み合わせ易く、金型加工が容易になる。
【００５８】
また、上述したプラグコネクタ１０では、アーム部１１５、１１６の長手方向（ｘ軸方向）の中心部近傍に係合部分が設けられているが、図１２のように、外部コンタクト１１４に近い位置に、すなわち、アーム部１１５、１１６における同軸ケーブルＫａの長手方向中心よりもシェル１１側に、突出片１１５ａ及び切り欠き１１６ａが設けられていてもよい。これにより、外部コンタクト１１４と係合部分との距離が近くなるため、外部コンタクト１１４の広がりを抑制する効果をより高めることができる。
【００５９】
本発明は、本発明の広義の精神と範囲を逸脱することなく、様々な実施形態及び変形が可能とされるものである。また、上述した実施形態は、本発明を説明するためのものであり、本発明の範囲を限定するものではない。すなわち、本発明の範囲は、上述した実施形態ではなく、請求の範囲によって示される。そして、請求の範囲およびそれと同等の発明の意義の範囲内で施される様々な変形が、本発明の範囲内とみなされる。
【符号の説明】
【００６０】
１０  プラグコネクタ、１１  シェル、１２  ハウジング、１２ａ  孔、１２ｂ  受け部、１３  内部コンタクト、１３ａ  接続部、１３ｂ  押さえ部、１３ｃ  接点バネ部、２０  レセプタクルコネクタ、１１１  蓋部、１１２  バレル、１１３  カシメ部、１１４  外部コンタクト、１１４ａ  端部、１１４ｂ  接点部、１１５  アーム部、１１５ａ，１１５ａ’  突出片、１１５ａ’’  凸部、１１６  アーム部、１１６ａ，１１６ａ’  切り欠き、１１６ａ’’  孔、１１９  連結部、２００  本体部、２０１  信号コンタクト、２０２  グランドコンタクト、２０２ａ  保持部、２０２ｂ  上端部、２０５  信号用接続脚部、２０６  グランド用接続脚部、Ｋａ  同軸ケーブル、Ｋｂ  回路基板。
【図１】
2017220336.tif 000003
【図２】
2017220336.tif 000004
【図３】
2017220336.tif 000005
【図４】
2017220336.tif 000006
【図５】
2017220336.tif 000007
【図６】
2017220336.tif 000008
【図７】
2017220336.tif 000009
【図８】
2017220336.tif 000010
【図９】
2017220336.tif 000011
【図１０】
2017220336.tif 000012
【図１１】
2017220336.tif 000013
【図１２】
2017220336.tif 000014